(57)【要約】  １つの実施の態様では、ヘア・グルーミング・システムは、真空キャニスタと、ホースと、ハンドヘルド・ユニットを含んでいる。ホースは、真空キャニスタ及びハンドヘルド・ユニットに固定されており、流体連通している。ハンドヘルド・ユニットは、真空チャンバを含んでいる。真空を作り出す装置は、真空キャニスタ内に配置されており、真空は、ホースによって真空チャンバと連通している。システムは、さらに、空気を温め、空気を真空チャンバに動かすように構成された、加熱手段及びファンを含んでいてもよい。１つの実施の形態では、毛髪のグルーミング方法は、真空チャンバ内に毛髪の一部を配置するステップと；真空引きして毛髪から余分な水分を除去するステップと；毛髪の一部に加熱空気を当てるステップとを含む。【選択図】  図１
2018501926.tif 000002
【特許請求の範囲】
【請求項１】
ヘア・グルーミング・システムであって、
真空キャニスタと、
前記真空キャニスタ内に配置された真空装置と、
毛髪の一部の挿入に適合するように構成された第１の開口部、及び、前記第１の開口部と反対側の第２の開口部を有する真空チャンバを備えたハンドヘルド・ユニットと、
前記真空キャニスタと流体連通し、且つ、前記ハンドヘルド・ユニットと流体連通したホースとを備えていることを特徴とするヘア・グルーミング・システム。
【請求項２】
前記真空チャンバと流体連通した加熱空気チャンバと、
前記加熱空気チャンバ内に配置された加熱手段と、
前記加熱空気チャンバ内に配置されたファンとをさらに備えた請求項１に記載のヘア・グルーミング・システム。
【請求項３】
前記真空チャンバは、前記第１の開口部の近くに配置された複数の孔を含んでおり、
前記加熱空気チャンバは、前記複数の孔を通じて、前記真空チャンバと流体連通している請求項２に記載のヘア・グルーミング・システム。
【請求項４】
前記真空チャンバの断面積は、前記真空チャンバの長さに沿って変化するようになっている請求項１に記載のヘア・グルーミング・システム。
【請求項５】
真空リリーフ・バルブをさらに備えている請求項１に記載のヘア・グルーミング・システム。
【請求項６】
フロー・コンディショナをさらに備えている請求項１に記載のヘア・グルーミング・システム。
【請求項７】
前記フロー・コンディショナは、前記真空チャンバ内に挿入された別コンポーネントである請求項６に記載のヘア・グルーミング・システム。
【請求項８】
前記フロー・コンディショナは、前記真空チャンバ内に一体的に形成されている請求項６に記載のヘア・グルーミング・システム。
【請求項９】
前記ホースと一体の電源コードをさらに備えている請求項１に記載のヘア・グルーミング・システム。
【請求項１０】
前記電源コードと電気的に接続され、前記真空装置を起動及び停止するように構成されたスイッチをさらに備えている請求項９に記載のヘア・グルーミング・システム。
【請求項１１】
毛髪のグルーミング方法であって、
真空チャンバ内に毛髪の一部を挿入するステップと、
前記毛髪の根元から前記毛髪の一部の自由端に向かう方向に、前記毛髪の一部を越えて空気を引くように真空引きするステップと、
前記毛髪の一部から余分な水分を除去するステップと、
前記真空チャンバから前記毛髪の一部を取り除くステップとからなる毛髪のグルーミング方法。
【請求項１２】
前記毛髪の根元から前記毛髪の一部の自由端に向かう方向に、前記毛髪の一部を越えて温かい空気を引くように真空引きして、温かい空気を前記真空チャンバ内に導入するステップを更に含む請求項１１に記載の毛髪のグルーミング方法。
【請求項１３】
前記毛髪の根元から前記毛髪の一部の自由端に向かう方向に、前記毛髪の一部を越えて空気を引くように真空引きして、周囲の加熱されていない空気を前記真空チャンバ内に導入するステップを更に含む請求項１２に記載の毛髪のグルーミング方法。
【請求項１４】
前記真空チャンバを通過する空気の流速を制御するステップをさらに含む請求項１１に記載の毛髪のグルーミング方法。
【請求項１５】
前記真空チャンバを通過する空気の流速を制御するステップは、フロー・コンディショナによって実現されている請求項１４に記載の毛髪のグルーミング方法。
【発明の詳細な説明】
【技術分野】
【０００１】
本発明は毛髪（hair）をグルーミング（grooming）するシステム、装置、及び、方法に関するものである。特に、本発明は、真空によって作り出される吸引力（suction force）を利用した毛髪の乾燥（drying）、スタイリング（styling）、及び、洗浄（cleaning）のためのシステム、装置、及び、方法に関するものである。
【背景技術】
【０００２】
人間の毛髪をグルーミングすることは、一般的であり、且つ、重要な活動である。毛髪をグルーミングする典型的なルーティン（routines）は、洗浄（washing）、乾燥、及び、毛髪のスタイリングを含む。このようなルーティンは、比較的髪の長い人にとって、特に一般的である。シャンプーを行う工程によって毛髪を洗浄し、次に、従来のブロー・ドライヤー（blow dryer）を使用して毛髪を乾かすことが一般的である。人間の毛髪をブロー乾燥（blow-drying）することは、数十年にわたって、一般的に行われているが、ブロー乾燥は、しばしば人間の毛髪の物理的構造（physical structure）を傷つけてしまう。毛髪は、タンパク質からできた繊維質フィラメント（fibrous filament）であり、各髪の毛（strand of hair）は、内側層であるメデュラ（髄質）（medulla）、中間層であるコルテックス（皮質）（cortex）、及び、外側層であるキューティクル（cuticle）の３層からなっている。メデュラは、各髪の毛の中心部にある、一般的には、不定形の領域（unstructured region）である。コルテックスは、メデュラを取り囲んでおり、各髪の毛に機械的強度を与え、健康的な毛髪に必要な水分を吸収するため、重要な層である。コルテックスは、さらに、毛髪の色を決定するメラニンを含む。コルテックスの全体的形状（general shape）は、各髪の毛の全体的形状に寄与する。すなわち、毛髪が、ストレートか、ウェーブしているか（wavy）、または、カールしているか（curly）、という形状に寄与する。キューティクルは、周囲の環境から、メデュラ及びコルテックスを保護する。メデュラ及びコルテックスはダメージを受けやすいため、キューティクルには、各髪の毛の健康状態を維持する重要な役割がある。
【発明の概要】
【発明が解決しようとする課題】
【０００３】
キューティクルは、髪の毛の根本から髪の毛の露出した端部まで、各髪の毛の長さに沿って、概して次から次に積まれた、連続した複数の細胞を含んでいる。この複数の細胞は、協働して、毛髪の内部構造がダメージを受けることを防ぎ、且つ、各髪の毛の水分量を維持及び制御する。毛髪を乾かすのに従来のブロー・ドライヤーを使用した場合、毛髪に向けられた熱風によって、キューティクルの複数の細胞を外側に開かせてしまい、熱風に対してコルテックスを露出させてしまう可能性がある。コルテックスが露出してしまうと、コルテックスの構造が破壊され、健康的な毛髪のために必要なコルテックス内に蓄えられた水分が除去されてしまうことで、コルテックスがダメージを受けてしまう可能性がある。このようにしてコルテックスがダメージを受けてしまうと、毛髪は、乾燥した、艶のない（lackluster）見た目になってしまい、且つ、静電荷（static charge）を蓄積してしまい、しばしば"縮れた（frizzy）"毛髪と呼ばれる、歓迎されない見た目になってしまう。
【０００４】
さらに、多くの人々は、ストレートで、艶のある（sleek）仕上げである毛髪を望む。このような見た目を得るため、多くの人々は、すでに乾いた毛髪に対して、加熱フラット・アイロン・ストレイテナ（heated flat iron straighteners）を使用する。しかしながら、熱を加えると、毛髪の構造に、髪の毛を構造的に支持する水素結合（hydrogen bonds）の変化を含む、一時的な変化（temporary changes）が生じる。このようなダメージは、毛髪を弱らせ、見た目がさえなくなり、時間が経つと、髪の毛に対する永続的なダメージになってしまう。
【０００５】
代わりに、カールしたまたはウェーブした毛髪を得ることが目的である場合、濡れた毛髪にブロー乾燥でカールやウェーブを付けるために、任意の個数のスタイリング・デバイスといっしょにブロー・ドライヤーを使用することが一般的である。このような手法は、毛髪を様々なアレンジメントにしながら、熱風の流れを様々な角度から毛髪に向けることを含む。このような処置によって、スタイリングされた毛髪はダメージを受ける。他にも一般的に乾いた毛髪に使用するカーリング・ロッド（curling rods）やアイロン（irons）を含む、熱を使用する様々なタイプのスタイリング用ツールが存在する。しかしながら、これらの方法によっても、毛髪が、各髪の毛に与える熱を強める加熱手段と直接接触するため、毛髪はダメージを受けてしまう。
【０００６】
ヘア・グルーミング業界には、従来の毛髪のグルーミング方法よりもダメージが少なく、早く、容易で、さらに、効果的な毛髪をグルーミングするためのシステム、装置、及び、方法について、ニーズが存在する。
【課題を解決するための手段】
【０００７】
１つの実施の態様では、ヘア・グルーミング・システムは、真空キャニスタ（vacuum canister）と、ホース（hose）と、ハンドヘルド・ユニット（hand-held unit）を含んでいる。ホースは、真空キャニスタ及びハンドヘルド・ユニットに固定されており、流体連通している（fluid communication）。ハンドヘルド・ユニットは、真空チャンバ（vacuum chamber）を含んでいる。真空を作り出す装置は、真空キャニスタ内に配置されており、真空は、ホースによって真空チャンバと連通している。システムは、さらに、空気を温め、空気を真空チャンバに動かすように構成された、加熱手段（heating element）及びファンを含んでいてもよい。１つの実施の形態では、毛髪のグルーミング方法は、真空チャンバ内に毛髪の一部を配置するステップと；真空引きして毛髪から余分な水分を除去するステップと；毛髪の一部に加熱空気（heated air）を当てるステップとを含む。
【０００８】
添付の図面には、以下の詳細な明細と共に、構造を示してあり、クレームした発明の実施の形態を示している。適切な場合、同様なエレメントは、同じまたは似た参照符号を付してある。単一のコンポーネントとして示したエレメントは、複数のコンポーネントで置き換えてもよい。複数のコンポーネントとして示したエレメントは、単一のコンポーネントで置き換えてもよい。図面は、正確な縮尺ではない可能性がある。特定のエレメントの割合は、図示の目的で誇張されている可能性がある。
【図面の簡単な説明】
【０００９】
【図１】本発明のヘア・グルーミング・システムの正面斜視図を描いた略図である。
【図２】図１のヘア・グルーミング・システムの背面斜視図を描いた略図である。
【図３】図１のヘア・グルーミング・システムのハンドヘルド・ユニットの正面斜視図を描いた略図である。
【図４】図１のヘア・グルーミング・システムのハンドヘルド・ユニットの背面斜視図を描いた略図である。
【図５】図１のヘア・グルーミング・システムのハンドヘルド・ユニットの正面図を描いた略図である。
【図６】ヘア・グルーミング・システムのハンドヘルド・ユニットの図５のＡ−Ａ線に沿った断面図を描いた略図である。
【図７】ヘア・グルーミング・システムと共に使用される他のハンドヘルド・ユニットの正面図を描いた略図である。
【図８】図７のハンドヘルド・ユニットの図７のＢ−Ｂ線に沿った断面図を描いた略図である。
【図９】ヘア・グルーミング・システムと共に使用される他のハンドヘルド・ユニットの正面図を描いた略図である。
【図１０】図９のハンドヘルド・ユニットの図９のＣ−Ｃ線に沿った断面図を描いた略図である。
【図１１】ヘア・グルーミング・システムと共に使用される他のハンドヘルド・ユニットの正面図を描いた略図である。
【図１２】図１１のハンドヘルド・ユニットの図１１のＤ−Ｄ線に沿った断面図を描いた略図である。
【図１３】本発明のヘア・グルーミング・システムと共に使用される真空チャンバの断面図を描いた略図である。
【図１４】本発明のヘア・グルーミング・システムと共に使用される真空チャンバの側面図を描いた略図である。
【図１５】図１４の真空チャンバの図１４のＥ−Ｅ線に沿った断面図を描いた略図である。
【図１６】図１４の真空チャンバの図１４のＦ−Ｆ線に沿った断面図を描いた略図である。
【図１７】図１４の真空チャンバの正面図を描いた略図である。
【図１８】本発明のヘア・グルーミング・システムと共に使用されるフロー・コンディショナの側面図を描いた略図である。
【図１９】図１８のフロー・コンディショナの図１８のＧ−Ｇ線に沿った断面図を描いた略図である。
【図２０】図１８のフロー・コンディショナの正面図を描いた略図である。
【図２１】本発明のヘア・グルーミング・システムと共に使用される他のフロー・コンディショナの側面図を描いた略図である。
【図２２】図２１のフロー・コンディショナの図２１のＨ−Ｈ線に沿った断面図を描いた略図である。
【図２３】図２１のフロー・コンディショナの正面図を描いた略図である。
【図２４】真空チャンバにフロー・コンディショナが挿入されたハンドヘルド・ユニットの断面図を描いた略図である。
【図２５】本発明のヘア・グルーミング・システムと共に使用されるハンドヘルド・ユニットの背面斜視図を描いた略図である。
【図２６】図２５のハンドヘルド・ユニットの正面斜視図を描いた略図である。
【図２７】図２５のハンドヘルド・ユニットの断面図を描いた略図である。
【図２８】本発明のヘア・グルーミング・システムと共に使用されるハンドヘルド・ユニットの正面斜視図を描いた略図である。
【発明を実施するための形態】
【００１０】
本明細書において開示されたシステム、構成（arrangement）、及び、方法は、例として、また、図を参照して、詳細に示してある。開示された及び示された例、構成、コンフィギュレーション（configurations）、コンポーネント（components）、エレメント（elements）、装置（apparatus）、方法（methods）、マテリアル（materials）等の変形例が可能であり、特定のアプリケーションにとっては望ましいことが理解されるであろう。本開示において、特定の技術、構成、方法等の同一性（identification）は、示された特定の例に関するもの、または、そのような技術、構成、方法等の単なる一般的な説明に過ぎない。特定の細部、または、例は、特に明記されていない限り、必須（mandatory）または限定的（limiting）に解釈するという意図ではなく、また、そのように解釈すべきではない。図１乃至図２８を参照して、毛髪のグルーミングのための選択された、真空によって作り出される吸引力を利用した、システム、装置及び方法の例を、以下に開示し、及び、詳細を示す。
【００１１】
一般的に、本明細書に示した及び開示したシステム、装置、及び、方法は、人間の毛髪をグルーミングするためのものである。毛髪のグルーミングは、濡れた毛髪の乾燥；濡れたまたは乾いた毛髪のスタイリング、すなわち、スムージング（smoothing）、矯正（straightening）、カーリング（curling）、ウェービング（waving）等；濡れたまたは乾いた毛髪の洗浄；またはこれらの組み合わせを含む。開示したシステム、装置、及び、方法の実施の形態は、周囲の空気または加熱空気が、毛髪上を流れるようにして、毛髪をグルーミングすることができる。具体的には、開示した実施の形態は、真空を作り出し、周囲の空気または加熱空気が、毛髪上を流れるようにして、毛髪をグルーミングすることができる。周囲の空気または加熱空気の流れの向きは、開示したシステム、装置、及び、方法によって制御することができる。例えば、空気の流れは、毛髪の根元から毛髪の自由端に向かう方向に向かって、毛髪の長さに沿うものでもよい。さらに、グルーミングの間、毛髪と接触する表面の形状及び構成によって、グルーミングされた毛髪の形状が影響を受ける可能性がある。そのため、開示したシステム、装置、及び、方法は、熱（heat）及び形作られた接触面（shaped contact surfaces）と組み合わされた、真空によって作り出される吸引力を利用して、毛髪をグルーミングすることができる。
【００１２】
１つの実施の形態では、システムは、真空チャンバに毛髪を引き込む（draws）または引っ張り入れる（pulls）真空を作り出す。真空により生じるエア・フロー（air flow）によって、毛髪の根元から毛髪の自由端に向かう方向に向かって、毛髪上を空気が流れ、毛髪の余分な水分を取り除くことができる。選択的に、熱い（hot）、または、温かい（warm）空気を真空チャンバに導入し、乾燥工程を補助することもできる。真空の吸引効果によって、毛髪の長さに沿う方向に強制的に空気が流れ、毛髪のキューティクル層の細胞が、自然な構成で、平らに横たわることが促進され（encourages）、健康的な、艶のある毛髪を得られる。さらに、このような方法は、毛髪のコルテックス層の保水量を維持及び増加させるため、周囲の（すなわち、加熱されていない）空気を毛髪上に強制的に流して完結させることができる。
【００１３】
特定の実施の形態では、システムまたは装置の一部は、空気を動かし加熱する、毛髪のグルーミングに便利なコンポーネントを含んでいてもよい。例えば、一体化されたファンによって、加熱手段を通り、または、加熱手段を横切り、真空チャンバ内に向かうように、または、真空チャンバの開口部内及び開口部の周囲に向かうように、空気を動かすことができる。このような加熱空気は、毛髪と影響しあい、乾燥、スタイリング等の毛髪のグルーミングを促進する。代わりに、真空チャンバの壁部は、伝導を利用して加熱されていてもよく、毛髪を温め、乾燥させることができる。真空チャンバは、毛髪に様々な効果を得るため、様々な形状に適合されていてもよい。ある例では、真空チャンバを通過する空気の流速を制御するため、真空チャンバの断面積を増加または減少させてもよい。真空チャンバを通過する空気の流速が真空チャンバの長さに沿って変化するように、断面積の増加及び減少は、単一の真空チャンバに実施することができる。他の例では、真空チャンバの形状によって、グルーミングされた毛髪の形状に影響を与えることができる。ストレート形状の真空チャンバを使用して、ストレートな仕上がりの毛髪を得ることができる。わずかに曲がった形状、若しくは、徐々に曲がった形状、または、同様の曲がった形状を複数有する真空チャンバを利用して、ウェーブした仕上がりの毛髪を得ることができる。きつく曲がった形状、または、複数のきつく曲がった形状を有する真空チャンバを利用して、カールした仕上がりの毛髪を得ることができる。
【００１４】
毛髪の乾燥及びスタイリングに加えて、開示したシステム、装置、及び、方法は、さらに、毛髪を洗浄することにも使用することができる。ある例では、乾いた毛髪に吸引力を適用すると、シャンプーの間に毛髪にたまった、または、毛髪に付着したほこりや汚れを吸い取ることができる。さらに、システム、装置、及び、方法は、既存のドライ・シャンプー製品と組み合わせて使用し、毛髪を"ドライ・クリーン（dry clean）"することもできる。ドライ・シャンプーは、シャンプー及び乾燥の回数を減らす手段として、ここ数年で次第に一般的になったものであるが、頭皮（scalp）の皮脂腺（sebaceous glands）によって生成され、髪の毛に付着した余分な脂分（oils）を吸収するようになっている。ドライ・シャンプーは、一般的にパウダーとしてスプレーされるものであるが、通常、ブラシングで毛髪から取り除かれるようになっている。しかしながら、ここに開示したシステム、装置、及び、方法は、頭皮からさらに効果的にドライ・シャンプーを吸い取ることができ、同時に、各髪の毛の長さに沿って、毛髪を洗浄することができる。
【００１５】
図１及び図２には、ヘア・グルーミング・システム１０の実施の形態を示してある。システム１０は、真空キャニスタ１２と、ハンドヘルド・ユニット１４と、真空キャニスタ１２とハンドヘルド・ユニット１４を繋ぐホース１６とを備えている。後述のように、真空キャニスタ１２は、真空を作り出すように構成されている。ハンドヘルド・ユニット１４は、毛髪を引き入れて（engage）相互作用し、毛髪をグルーミングするように構成されている。ホース１６は、ハンドヘルド・ユニット１４と真空キャニスタ１２の間を、周囲の空気や加熱空気のような流体が流れる通路になるように構成されている。ホース１６は柔軟で、軽量なホースであってもよい。ホース１６の長さは、使用者のまたは他の人の毛髪をグルーミングするためのシステム１０の使用者によるハンドヘルド・ユニット１４の動きに適合するように選択されている。
【００１６】
真空キャニスタ１２は、外側ハウジング１８と、ホース１６の一方の端部と係合し（engage）、ホース１６を真空キャニスタ１２に固定するように構成されたカプリング２０を含んでいる。外側ハウジング１８内に収納された真空装置（vacuum mechanism）は、ハンドヘルド・ユニット１４とホース１６を通って、真空キャニスタ１２まで空気が流れるために必要な真空力（vacuum force）を発生する。１つの実施の形態では、真空装置は、容積式ポンプ（positive-displacement pump）であってもよい。例えば、ロータリ式ベーン・ポンプ（rotary vane pump）または真空を作り出すピストン駆動ポンプ（piston driven pump）を使用してもよい。他の実施の形態では、真空装置は、アスピレータ型ポンプ（aspirator-type pump）、すなわち、ベンチュリ真空ポンプ（Venturi vacuum pump）であってもよい。図２に最良に図示してあるように、ホース１６の一方の端部の周りに位置され、ホース１６の端部と係合し、ホース１６をハンドヘルド・ユニット１４に対して固定するように構成されたカプリング２２を含んでいてもよい。真空キャニスタ１２からハンドヘルド・ユニット１４まで延び、ハンドヘルド・ユニット１４に内蔵されたと様々な装置に電力を供給する電源コード（図示せず）が含まれていてもよい。電源コードは、ホースに一体化されて、見えないように隠されていてもよい。電源コードがホースと一体化している場合、ホースの両端部はハンドヘルド・ユニット及び真空キャニスタに配置されている、または、内に配置されている互換性のある電気コネクタと合う電気コネクタとして部分的に構成されていてもよい。すなわち、ホースがハンドヘルド・ユニットと真空キャニスタに接続されていて、それぞれの電気コネクタが接続されている場合、電源コードを通じて、真空キャニスタからハンドヘルド・ユニットに向かって電力が供給されてもよく、また、その逆方向にも、電力が供給されてもよい。安全性を高めるため、ホースがハンドヘルド・ユニット及び真空キャニスタと適切に接続されていない限り、電力が供給されないように電気コネクタにモーメンタリ・スイッチ（momentary switches）が一体化されていてもよい。ホースをハンドヘルド・ユニット及び真空キャニスタと適切に係合させると、モーメンタリ・スイッチが押され、電力が供給される。
【００１７】
図３乃至図６は、図１及び図２に示したヘア・グルーミング・システム１０とともに示したハンドヘルド・ユニット１４の例を詳細に示す図である。図３及び図４は、ハンドヘルド・ユニット１４の斜視図であり、図５は、正面図であり、図６は、図５のＡ−Ａ線に沿った断面図である。ハンドヘルド・ユニット１４は、外側ハウジング２４と、ハンドル２６、及び、ホース・コネクタ２８を含んでいる。外側ハウジング２４は、ハンドヘルド・ユニット１４の外形を形成するように構成されていてもよいが、さらに、後述のハンドヘルド・ユニット内の１以上の内側チャンバを形成するように構成されていてもよい。外側ハウジング２４は、モールド成形または他の製法で、単一のコンポーネントとして製造されていてもよい。代わりに、外側ハウジング２４は、外側ハウジング２４と組み合わされた２以上のコンポーネントから構成されていてもよい。
【００１８】
ハンドル２６は、システム１０の使用者がハンドル２６を握って、ハンドヘルド・ユニット１４を操作し、毛髪のグルーミングを容易にすることができるように構成されていてもよい。ホース・コネクタ２８は、ホース１６の一方の端部と係合し、ホース１６をハンドヘルド・ユニット１４に固定するように構成されている。典型的には、ホース１６は、ホース・コネクタ２８の上をスライドして越えさせて、ハンドヘルド・ユニット１４に固定する。図４に最良に図示してあるように、ホース・コネクタ２８は、ホース１６が、ホース・コネクタ２８に一度スライドして越えさせると、ホース１６と係合する、リッジ（ridge）またはかかり（barb）のような１以上のフィーチャ（features）３０を含んでいてもよい。ホース１６をハンドヘルド・ユニット１４に固定するのにホース・コネクタ２８及びカプリング２２が協働してもよいことは理解されるであろう。ハンドル２６及びホース・コネクタ２８は、３つのコンポーネント全てがモールド成形されて、または、他の製法でいっしょにされ、外側ハウジング２４のデザインと一体化するようになっていてもよい。代わりに、ハンドル２６及び／またはホース・コネクタは、別々にモールド成形、または、他の製法により製造されてから、外側ハウジング２４に組み合わされていてもよい。
【００１９】
ハンドヘルド・ユニット１４は、電源スイッチ３２をさらに含んでいてもよい。電源スイッチ３２は、電源コードと協働し、ハンドヘルド・ユニット１４に内蔵された装置及び／またはサブシステムに選択的に電力を供給してもよい。電源スイッチ３２は、システム１０の使用者がシステムを容易にオン・オフできるようにするため、ハンドヘルド・ユニット１４の便利な場所に配置されていてもよい。電源スイッチ３２は、ハンドヘルド・ユニット１４に配置されていると図示してあるが、電源スイッチは、システム１０の他の位置に、例えば、真空キャニスタ１２に、配置されていてもよいことは理解されるであろう。さらに、単一の電源スイッチが図示されているが、ヘア・グルーミング・システムの様々な機能及びサブシステムのオン・オフを容易にするため、ヘア・グルーミング・システムは、２以上の電源スイッチを含んでいてもよいことは理解されるであろう。
【００２０】
図６は、ハンドヘルド・ユニット１４の例の内部構造を示す図である。ハンドヘルド・ユニット１４は、真空チャンバ３４と、加熱空気チャンバ（heated air chamber）３６を含んでいてもよい。加熱空気チャンバ３６は、部分的に真空チャンバ３４を取り囲むように構成されていてもよい。図示した真空チャンバ３４の形状は、通常、断面が円形である。後述のように、真空チャンバの断面形状は、実施の形態によって変わってもよい。
【００２１】
真空チャンバ３４は、毛髪受け用開口部（hair receiving aperture）３８と、出口用開口部（exit aperture）４０を含んでいる。真空チャンバ３４は、ホース１６を介して真空キャニスタ１２と流体連通している。真空装置を起動すると、ホース１６を通して真空チャンバ３４に向かって、真空キャニスタ１２によって吸引力が発生する。このような吸引力によって周囲の空気が、毛髪受け用開口部３８から入り、真空チャンバ３４を通って、出口用開口部４０を通って、ホース１６を通って、真空キャニスタ１２に到達する。すなわち、真空装置が起動すると、毛髪受け用開口部３８から出口用開口部４０に向かって、図６のフロー・ライン４２に図示した方向に真空チャンバ３４を通って空気が流れる。真空チャンバ３４に入る髪の毛及び他の物（materials）をキャプチャするために、スクリーン（screen）または他のフィルタ（filter）を、出口用開口部４０に選択的に配置することもできる。ここに完全に示すように、システム１０の使用者は、毛髪受け用開口部３８を通して毛髪の一部を挿入することができ、真空によって作り出された吸引力によって、毛髪の一部が真空チャンバ３４に向かって移動する。
【００２２】
ハンドヘルド・ユニット１４の加熱空気チャンバ３６内には、加熱手段（heating element）４４及びファン４６が配置されている。ファン４６のすぐ近くには、周囲の空気に対するファン４６のアクセスを提供する、外側ハウジング２４に複数の開口部を含む（図４に最良に図示してある）、空気取入口（air intake section）４８が存在する。図４に示したように、空気取込口４８に含まれる複数の開口部は、一般に、スロット状（slot shaped）である。このような構成は、周囲の空気が加熱空気チャンバ３６に入ることを可能にする一方で、デブリを捕捉する、または、デブリが加熱空気チャンバ３６に入ってしまうことを妨げる、スクリーンとして機能することが理解されるであろう。さらにほこりや他の粒子のようなデブリを捕捉するため、スクリーンまたは他の似たコンポーネントを空気取入口４８に配置してもよい。複数の空気口（air ports）５０は、加熱空気チャンバ３６と真空チャンバ３４の間に配置されており、複数の空気口５０を介して加熱空気チャンバ３６と真空チャンバ３４が流体連通するようになっている。
【００２３】
ファン４６は、ファン４６が起動されると、ファン４０によって周囲の空気が、空気取込口４８の複数の開口部を通って、ファン４６を通って、そして、加熱手段４４を越えて、加熱空気チャンバ３６に入り、加熱手段４４によって、周囲の空気が加熱されるように構成されていてもよい。加熱空気は、加熱空気チャンバ３６の前方部で集められてもよい。加熱空気チャンバ３６内のファン４６によって生じる正の力（positive force）、及び、真空チャンバ３４内の吸引力によって、加熱空気チャンバ３６から、複数の空気口５０を通って、真空チャンバ３４に向かって加熱空気が流れる。加熱空気チャンバ３６を通る空気の流れは、図６にフロー・ライン５２として図示してある。
【００２４】
真空チャンバ３４は、真空チャンバ３４の周囲に沿って、且つ、毛髪受け用開口部３８のすぐ近くに、加熱空気ポケット（heated air pocket）５４が形成されるように、毛髪受け用開口部３８の近辺で大きく広がっている（flared）。真空チャンバ３４のボア（bore）は、概して円形であり、滑らかであり、ハンドヘルド・ユニット１４と真空キャニスタ１２をつなぐホース１６の内径とほぼ同じ直径を有している。加熱空気ポケット５４は、加熱空気が真空チャンバ３４に入ることを許可し、毛髪受け用開口部３８のすぐ近くの真空チャンバ３４の周囲を動き、そして、真空チャンバ３４内の毛髪と効率よく、及び、効果的に相互作用し、及び、混ざるようにするためのリリーフ・ポケット（relief pocket）として機能する。このような構成により、加熱空気を真空装置による空気の流れに沿った方向である真空チャンバ３４の長手方向に沿って動かすことができる。このような構成により、さらに、使用者の頭皮が加熱空気と直接接触することから守ることができ、また、加熱空気が毛髪の長さに沿って向けられているため、空気の流れが真空チャンバ８４に集められた毛髪を挟まない。
【００２５】
ハンドヘルド・ユニット１４は、ファン４６を起動し、また、加熱手段４４の温度を上昇させるため、加熱手段４４及びファン４６に選択的に電力を供給するように構成されていてよい。ファン４６が起動すると、周囲の空気が、加熱手段４４を横切って加熱空気チャンバ３６に向かって動き、加熱手段４４を通過する空気に熱が伝達される。加熱手段４４に供給されたエネルギ量及びファン４６の回転速度は、加熱空気チャンバ３６を出て、真空チャンバ３４に入る空気の温度を制御するように調整されてよいことは理解されるであろう。加熱手段４４に供給されたエネルギ量及びファン４６の回転速度は、ハンドヘルド・ユニット、真空キャニスタ、または、ヘア・グルーミング・システムの他の位置に配置された使用者用のスイッチまたはダイアルによって制御可能である。
【００２６】
開示したシステム及び装置を使用する方法の例を以下に示す。使用者は、ハンドル２６を握ることで、ハンドヘルド・ユニット１４を持ち、電源スイッチ３２を使用して真空装置を起動することで毛髪を乾かすことができる。使用者は、濡れた毛髪部分を集め、濡れた毛髪部分の自由端から、濡れた毛髪部分を毛髪受け用開口部３８に挿入することができる。使用者は、濡れた毛髪部分の全長が真空チャンバ３４内に収まるまで挿入を続けることができる。一例では、ひとたびハンドヘルド・ユニット１４を使用者の頭や頭皮に接触させると、濡れた毛髪部分の全長が真空チャンバ３４内に収まる。吸引力による、真空チャンバ３４に向かい、真空チャンバ３４から出る流れによって、濡れた毛髪部分を真空チャンバ３４内に収めることを容易にすることができる。
【００２７】
毛髪部分から余分な水分が取り除かれると（短い場合は、数秒で行われる）、使用者は、ハンドヘルド・ユニット１４を使用者の頭皮から少し離して、加熱手段４４及びファン４６を起動することができる。加熱手段４４及びファン４６は、ハンドヘルド・ユニット１４または真空ユニット１２に配置されたスイッチやダイアルによって起動することができる。理解されるように、加熱手段４４及びファン４６を起動すると、ファン４６は、空気取入口４８を通して、また、加熱手段４４を横切って、空気を引き込み、空気を温める。空気は、温められると、複数の空気口５０を通って動き、真空チャンバ３４内の毛髪に沿って流れる。加熱空気は、真空装置によって作り出された吸引力によって真空チャンバ３４を通る。使用者は、選択的に、頭皮に対して、ハンドヘルド・ユニット１４を離したり近づけたりして動かして、長い毛髪の全長を乾かすことを補助することができる。乾燥工程において、真空チャンバ３４を通る空気の流れの向きは、頭皮から離れ、毛髪の自由端に向かって、毛髪の長さに沿っている。
【００２８】
この毛髪部分が、望ましい乾燥度（level of dryness）またはスタイルになったら、使用者は、ファン４６及び加熱手段４４の電源をオフにすることができ、加熱されていない周囲の空気が毛髪部分に沿って流れるようにすることができる。このことにより、各髪の毛のキューティクルを保護（seal）することができる。キューティクルの保護は、短い場合は、数秒で行うことができる。ハンドヘルド・ユニット１４は、選択的に構成することができ、加熱を行うための（heat activation）スイッチは、使用者が望むように加熱をオン・オフする、モーメンタリ・プッシュ・ボタン・スイッチ、オン／オフ・スイッチ、または、どのようなスイッチまたは入力でもよい。使用者の毛髪が全体として乾くまで、使用者は、さらなる毛髪部分に対して、ここに示した工程を繰り返してもよい。図１乃至図６に示した真空チャンバの形状によれば、乾燥し、滑らかで、概ねストレートの毛髪を得られる。ウェーブした毛髪を得るには、真空チャンバが、１以上の徐々に曲がった形状を含むように製造されていて、濡れた毛髪が、徐々に曲がった形状に当たって（engage）乾かされると、徐々に曲がった形状を呈するようになっていてもよいことは理解されるであろう。さらにカールした毛髪を得るには、真空チャンバが、１以上のきつく曲がった形状を含むように製造されていて、濡れた毛髪が、きつく曲がった形状に当たって乾かされると、きつく曲がった形状を呈するようになっていてもよいことは理解されるであろう。
【００２９】
本システムは、１以上の真空リリーフ機構（vacuum relief mechanisms）を含んでいる。真空リリーフ機構は、圧力が強すぎる場合に、真空チャンバ内の真空圧力を減らす、または、解放するように応答する。意図せず真空チャンバ内の圧力が増加する状況(circumstance)の１つは、毛髪受け用開口部が毛髪によってブロックされた、または、使用者の頭皮と接触したような場合である。そのような状況の場合、真空リリーフ機構は、使用者の毛髪または頭皮に対する圧力が過大にならないように、他のアクセス・ポイントから、流路に周囲の空気を入れることができる。真空リリーフ機構は、所定量の吸引力を検知した場合に開くバルブ（valve）であってもよい。真空リリーフ機構は、ハンドヘルド・ユニット、ホース、または、真空キャニスタに配置されていてもよい。本質的には、流路と流体連通している箇所であれば、システムのどこに配置されていてもよい。一例としては、空気取入口が真空リリーフ機構として機能してもよい。例えば、加熱空気チャンバに空気を引き込むファンを助けるスロットを有する実施の形態の場合、このようなスロットが真空リリーフ機構として機能してもよい。真空リリーフ機構は、使用者が真空リリーフ機構の有効開口（effective opening）を制御できるように、そして、流路内で許容される圧力を制御できるように、調整可能であってもよい。さらに、複数の突起によって空気が通ることが可能なギャップが形成され、ハンドヘルド・ユニットが使用者の頭皮に対してじかに（flush）配置することができないように、毛髪受け用開口部の中にまたは近くに、複数の突起（protrusions）や"複数の隆起（bumps）"を含んでいてもよい。
【００３０】
ハンドヘルド・ユニット１４の外側ハウジングは、真空チャンバ及び／または加熱空気チャンバを形成するように構成されていてもよい。他の例では、真空チャンバ及び加熱空気チャンバは、ハンドヘルド・ユニットに組み入れることが可能な、別々のコンポーネントとして形成されていてもよい。さらに他の例では、真空チャンバ及び加熱空気チャンバは、ハンドヘルド・ユニットに組み入れられる、１つのコンポーネントとして一体化されていてもよい。
【００３１】
他の実施の形態では、ハンドヘルド・ユニットは、ファンまたは加熱手段を有さないように構成されていてもよい。毛髪のグルーミングは、真空装置によって作り出された吸引力によって毛髪に沿って移動する加熱されていない周囲の空気を利用して実現される。他の実施の形態では、ハンドヘルド・ユニットは、ファンを有さないが、加熱手段を含むように設計されていてもよい。毛髪の全長に沿って流れる前に、真空装置によって作り出される吸引力により、周囲の空気が加熱手段を横切るように引き込まれ、空気が加熱される。ハンドヘルド・ユニットには、毛髪のグルーミングを促進するため、さらなるフィーチャが組み込まれていてもよい。例えば、真空チャンバは、真空チャンバ内で毛髪が絡まること（tangling）、または、なびくこと（fluttering）を減らす、または、なくすために、真空チャンバを通る空気の流れを制御する様々なフィーチャを含んでいてもよい。図７乃至図１３は、そのようなフィーチャを図示したものである。
【００３２】
図７及び図８は、真空チャンバ内のベーン（vane）の使用を図示している。図７は、ハンドヘルド・ユニット６０の正面図であり、図８は、図７のＢ−Ｂ線に沿ったハンドヘルド・ユニット６０の断面図である。先の実施の形態と同様、ハンドヘルド・ユニット６０は、外側ハウジング６２と、真空チャンバ６４と、真空チャンバ６４を囲む加熱空気チャンバ６６と、ハンドル６８と、ホース・コネクタ７０を含んでいる。毛髪受け用開口部７２は、外側ハウジング６２の一端に形成されている。ファン７４及び加熱手段７６は、加熱空気チャンバ６６内に配置されている。外側ハウジング６２の外装に配置された電源スイッチ７８は、真空装置をオン・オフするものであってもよく、加熱手段７６及びファン７４をオン・オフするものであってもよく、または、真空装置、加熱手段及びファンを制御するものであってもよい。
【００３３】
ハンドヘルド・ユニット６０は、さらに、加熱空気チャンバ６６及び真空チャンバ６４の間に配置された複数の空気口８０を含んでいる。ファン７４が起動すると、周囲の空気が加熱手段７６を横切り、複数の空気口８０を通って流れるようになっている。さらに、真空チャンバ６４は、真空チャンバ６４の周囲に沿って、且つ、毛髪受け用開口部７２に近接して、加熱空気ポケット８２が形成されるように、毛髪受け用開口７２のすぐ近くで大きく広がっている。真空チャンバ３４のボア（bore）は、概して円形であり、滑らかであり、真空チャンバ６４の壁部から真空チャンバ６４の中央部に向かって延び出て、真空チャンバ６４の長さに沿って延びている複数のベーン８４を含んでいる。複数のベーン８４によって、空気が流れる複数のチャンネルが形成されている。このような複数のチャンネルによって、真空チャンバ６４を通る空気の流れが制御される。複数のベーン８４及びこれによる複数のチャンネルによって、乱流を減らす、または、乱流を無くすことができ、真空チャンバ６４に沿って流れる層流（laminar flow）を概して生じさせることができる（promote）。毛髪が空気の乱流に曝されると、毛髪は急速に左右に（side-by-side）なびき、絡まったり、他の物理的な相互作用により、毛髪（特に毛髪の端部）に対するダメージになってしまう。この実施の形態では、ベーン８４は６つ図示してあるが、真空チャンバのベーンは、６つよりも多くてもよく、または６つよりも少なくてもよく、また、様々な形状であってもよいことは理解されるであろう。
【００３４】
図９及び図１０は、真空チャンバ内の非対称断面積（asymmetrical cross-sectional areas）及び変化断面積（varying cross-sectional areas）の使用を図示している。図９は、ハンドヘルド・ユニット９０の正面図であり、図１０は、図９のＣ−Ｃ線に沿ったハンドヘルド・ユニット９０の断面図である。ハンドヘルド・ユニット９０は、上述のフィーチャの多くを含んでいる。しかしながら、真空チャンバ９２の形状は、断面が概ね円形の第１の部分９４と、断面が概ね"半月（half-moon）"形状の第２の部分９６を含んでいる。図１０に最良に示してあるように、毛髪受け用開口部９８のすぐ近くの真空チャンバ９２の部分は、断面が半月形状であり、毛髪受け用開口部９８から延びて離れるにしたがって、断面が円形になる。このような変則的な（irregular）形状によって、真空チャンバ９２の幅にわたって均一な空気の流れが作り出される。円形のような、均一な断面形状を有する条件においては、真空チャンバの幅において勾配（gradient）を有する流速（flow velocity）が作り出される。流速は、円形の真空チャンバの壁部に沿って最も遅く、真空チャンバの長手の中心において最も速い。半月形状部分のような変則的な形状を有する真空チャンバ、または、上述のようなベーンを含む真空チャンバを作ることで、真空チャンバの断面においてより均一な空気の流れになるように、流速の勾配に作用することができる。断面を半月形状のような変則的な形状にすることに加えて、及び、複数のベーンを含むことに加えて、本明細書に記載のシステム及び装置のフィーチャとして、真空チャンバに他の変則的な形状を採用することもできることは理解されるであろう。
【００３５】
図９及び図１０に示した真空チャンバ９２は、真空チャンバに沿って変化する、断面積も有している。第１の部分９４の断面積は、第２の部分９６の断面積よりも大きい。小さな断面積を有する第２の部分９６から大きい断面積を有する第１の部分９４に空気が流れると、真空チャンバ内を通る空気の流速が減速することが理解されるであろう。第１の部分９４に毛髪の自由端が入ると、遅い流速によって、毛髪が絡むこと、及び、毛髪が左右になびくことが減少する。
【００３６】
図１１及び図１２は、加熱空気チャンバから真空チャンバへ加熱空気を流す（channel）複数の空気口の異なる構成を示すものである。図１１は、ハンドヘルド・ユニット１００の正面図であり、図１２は、図１１のＤ−Ｄ線に沿ったハンドヘルド・ユニット１００の断面図である。ハンドヘルド・ユニット１００は、上述のフィーチャの多くを含んでいる。しかしながら、上述の実施の形態とは、複数の空気口１０２の位置、及び、加熱空気ポケット１０４の構造（formation）が異なる。複数の空気口１０２は、真空チャンバ１０６の中央に、また、真空チャンバ１０６内に位置している毛髪に加熱空気を向ける。加熱空気は、フロー・ライン１１０に沿って、加熱空気チャンバ１０８を通って、複数の空気口１０２を通って、真空チャンバ１０６に到達する。図１２に最良に示してあるように、複数の空気口１０２は、２列存在する。複数の空気口１０２の出口の流れの向きによって、加熱空気の多くは集まって真空チャンバ１０６の断面を横切り、毛髪受け用開口部１１２のすぐ近くに向かうことになる。そのため、真空チャンバ１０６の断面を横切って、また、毛髪受け用開口部１１２のすぐ近くに、加熱空気と毛髪が混ざり合うための加熱空気ポケット１０４が形成されている。真空チャンバ１６６のボアは、概して円形であり、滑らかである。さらに、複数の空気口１０２を出る加熱空気の向きは、真空チャンバ１０６の中央に向かうようになっている。このことにより、毛髪受け用開口部１１２の近くにおいて毛髪が挟まれてしまう（hair pinching）ことを制限する、または、無くすことができる。
【００３７】
図１３は、真空チャンバ１２０の長さに沿って断面積が変化する、例示的な真空チャンバ１２０の断面図である。真空チャンバ１２０は、第１の直径を有する第１のセクション１２２と、第１の直径よりも大きな第２の直径を有する第２のセクション１２４と、第１の直径から第２の直径に遷移する（transitions）遷移セクション１８６とを含んでいる。直径の小さな第１の直径から直径の大きな第２の直径に遷移することで、空気が真空チャンバ１２０内を通るにしたがい、空気の流速が減速する。空気の流速が減速すると、毛髪が左右になびく動くを抑えることができ、真空チャンバ１２０内でグルーミングされている毛髪の絡みや、毛髪がダメージを受けること、特に、髪の毛の端部のダメージを減少させることができる。一例では、第２のセクション１２４の直径は、第１のセクション１２２の直径の２倍である。このような直径の伸張によって、空気の流速は、１／４倍に減速する（reduced by a factor of 4）。流速が減速することにより、髪の毛が左右になびく動きが弱まり、髪の毛に対するダメージを減少させることができる。
【００３８】
図１４乃至図１７は、他の例示的な真空チャンバ１３０を示すものである。図１４は真空チャンバ１３０の側面図であり、図１５は、図１４のＥ−Ｅ線に沿った断面図であり、図１６は、図１４のＦ−Ｆ線に沿った断面図であり、図１７は、真空チャンバ１３０の正面図である。真空チャンバ１３０は、３つのセクションを含んでいる。３つのセクションは、第１の直径を有する第１のセクション１３２と、第１の直径より大きな第２の直径を有する第２のセクション１３４と、第１及び第２の直径よりも小さな第３の直径を有する第３のセクション１３６である。セクションとセクションの間は、徐々に遷移するようになっている。真空チャンバ１３０を空気が通り、空気が第２のセクション１３４に入ると流速が減速し、第３のセクション１３６に入ると流速が加速する。図１６に示すように、一連の空気口１３８は、加熱空気チャンバまたは他の同様の隣接する（adjacent）チャンバのための真空チャンバ１３０へのアクセスを提供する。複数の空気口１３８は、真空チャンバの中央線と並行の通路（path）を通り、真空チャンバ１３０を通るように加熱空気を向ける。
【００３９】
真空チャンバを通した空気の流れを制御する他の方法は、流路にフロー・コンディショナを配置することである。フロー・コンディショナは、真空チャンバ内、ホース内、真空キャニスタ内、または、流路内のどこにでも配置されてもよい、インサートとして構成されていてもよい。図１８乃至図２０は、フロー・コンディショナ１４０の１つの実施の形態を示す図である。図２０に示すように、ボアは概して円形であり、図１９に示すように、フロー・コンディショナ１４０の長さに沿って、ボアの直径は変化する。フロー・コンディショナの第１のセクション１４２は、比較的大きな直径から始まり、フロー・コンディショナ１４０の中央部当たりに到達するまで徐々に小さくなり、比較的短く、一定の直径を有する第２のセクション１４４に遷移する。それから、フロー・コンディショナ１４０は、比較的小さな直径から始まり、フロー・コンディショナ１４０の端部に向かって徐々に大きくなる第３のセクション１４６に遷移する。
【００４０】
図２１乃至図２３は、フロー・コンディショナ１５０の他の実施の形態を示す図である。図２１に示すように、ボアは概して楕円形であり、図２２に示すように、フロー・コンディショナ１５０の長さに沿って、ボアの直径は変化する。フロー・コンディショナの第１のセクション１５２は、比較的大きな直径から始まり、フロー・コンディショナ１５０の中央部当たりに到達するまで徐々に小さくなり、比較的小さな直径から始まり、フロー・コンディショナ１５０の端部に向かって徐々に大きくなる第２のセクション１５４に遷移する。
【００４１】
図２４は、ハンドヘルド・ユニット１６０に挿入された例示的なフロー・コンディショナ１５０を示している。フロー・コンディショナ１５０は、真空チャンバ１６２の出口側端部内に配置されている。空気の流れを調整すると、真空チャンバ１６２内で毛髪がなびく量・回数（amount）を減らすことができる。フロー・コンディショナ１５０は、真空チャンバ１６２の出口側端部に配置されていると図示しているが、フロー・コンディショナ１５０は、真空チャンバ１６２の入口側端部に配置されていてもよく、または、真空チャンバ内のいかなる場所に配置されていてもよい。さらに、フロー・コンディショナ１５０は、ハンドヘルド・ユニット１６０に取り付けられたホースに配置されていてもよく、または、流路内のいかなる場所に配置されていてもよい。さらにまた、フロー・コンディショナは、システムのコンポーネントに一体化またはモールド加工されていてもよい。例えば、フロー・コンディショナは、真空チャンバの一体部品（integral part）として、または、ホースの一体部品として、モールド加工されていてもよい。
【００４２】
他の例示的なハンドヘルド・ユニット１７０を図２５乃至図２７に示してある。ハンドヘルド・ユニットは、外側ハウジング１７２及びハンドル１７４を含んでいる。ハンドヘルド・ユニット１７０は、さらに電気コネクタ１７６及び電源スイッチ１７８を含んでいる。電源ケーブル（図示せず）が電気コネクタ１７８に接続されて、ハンドヘルド・ユニット１７０に給電していてもよい。電源スイッチ１７８は、ハンドヘルド・ユニット１７０の使用者が特定の機能をオン・オフすることを容易にするために、ハンドヘルド・ユニット１７０上に便利に配置されていてもよい。さらに、単一の電源スイッチが図示されているが、ヘア・グルーミング・システムの様々な機能及びサブシステムのオン・オフを容易にするため、ヘア・グルーミング・システムは、２以上の電源スイッチを含んでいてもよいことは理解されるであろう。
【００４３】
ハンドヘルド・ユニット１７０は、さらに、真空チャンバ１８０と、加熱空気チャンバ１８２とを含んでいる。図示した真空チャンバ１８０の形状は、断面が概ね楕円形である。真空チャンバ１８０は、毛髪受け用開口部１８４と、出口用開口部１８６とを含んでいる。加熱空気チャンバ１８２内には、一連の加熱コイル１８８と、ファン１９０とが配置されている。外側ハウジング１７２の開口部を形成し、ファン１９０に周囲の空気へのアクセスを与える空気取入口１９２が、ファン１９０のすぐ近くに配置されている。毛髪受け用開口部１８４のすぐ近くには、複数の空気口１９４が配置されている。複数の空気口１９４は、毛髪受け用開口部１８４の周囲に沿って、外側ハウジング１７２に配置されている。
【００４４】
ファン１９０によって、周囲の空気が加熱空気チャンバ１８２に流れ込み、加熱コイル１８８を越え、複数の空気口１９４を通る。複数の空気口１９４は、空気が加熱空気チャンバ１８２から出ると、空気が毛髪受け用開口部１８４に流れるように構成されており、真空チャンバ１７２による吸引力によって、真空チャンバ１７２内に加熱空気を引き込むことができ、真空チャンバ１７２内に配置された毛髪と係わり合う。
【００４５】
図２８は、ハンドヘルド・ユニット２００の他の実施の形態を示すものである。図２５乃至図２７に示したものと同様、ハンドヘルド・ユニット２００は、ハンドル２０２と、外側ハウジング２０４と、電源スイッチ２０６と、毛髪受け用開口部２０８とを含んでいる。図２８に示した実施の形態では、加熱空気チャンバ及び加熱手段は、毛髪受け用開口部２０８のすぐ近くの真空チャンバの前方部分に配置されているが、他の実施の形態と異なり、真空チャンバを取り囲まない。このような実施の形態では、空気は、温められて、加熱空気チャンバの内壁に配置された複数の空気口を通して、直接的に毛髪に当てられる。加熱空気チャンバ内には、周囲の空気を、加熱手段を通過して、真空チャンバ内の毛髪に向かって動かすため、ファンが配置されていてもよい。周囲の空気は、空気取込口２１０を通してハンドヘルド・ユニット内に引き込まれてもよい。あるいは、ファンは含まれていない。周囲の空気は、真空装置によって作り出された吸引力によってハンドヘルド・ユニット内に引き込まれる。真空チャンバによって引き込まれ、加熱空気を使用者の毛髪に向けることで、似たような乾燥効果を得られる。
【図１】
2018501926.tif 000003
【図２】
2018501926.tif 000004
【図３】
2018501926.tif 000005
【図４】
2018501926.tif 000006
【図５】
2018501926.tif 000007
【図６】
2018501926.tif 000008
【図７】
2018501926.tif 000009
【図８】
2018501926.tif 000010
【図９】
2018501926.tif 000011
【図１０】
2018501926.tif 000012
【図１１】
2018501926.tif 000013
【図１２】
2018501926.tif 000014
【図１３】
2018501926.tif 000015
【図１４】
2018501926.tif 000016
【図１５】
2018501926.tif 000017
【図１６】
2018501926.tif 000018
【図１７】
2018501926.tif 000019
【図１８】
2018501926.tif 000020
【図１９】
2018501926.tif 000021
【図２０】
2018501926.tif 000022
【図２１】
2018501926.tif 000023
【図２２】
2018501926.tif 000024
【図２３】
2018501926.tif 000025
【図２４】
2018501926.tif 000026
【図２５】
2018501926.tif 000027
【図２６】
2018501926.tif 000028
【図２７】
2018501926.tif 000029
【図２８】
2018501926.tif 000030
【国際調査報告】
2018501926.tif 000031
2018501926.tif 000032